Podtech/llm-jp-corpus-v4-ja_patent huggingface dataset:
【手続補正書】
【提出日】令和1年11月1日(2019.11.1)
【手続補正１】
【補正対象書類名】特許請求の範囲
【補正対象項目名】全文
【補正方法】変更
【補正の内容】
【特許請求の範囲】
【請求項１】
生体の内部にて物理量を検出する検出装置と、起動情報及び互いに異なる複数の時点に関連付けられた時点関連情報に関連する識別情報、並びに、前記検出装置で検出した前記物理量を表す検出情報を前記複数の時点のそれぞれにて送信する送信装置と、を備えた飲み込み型センサと、
前記飲み込み型センサにより送信された前記識別情報を受信する起動・検出情報受信部と、前記起動・検出情報受信部で前記識別情報からの前記起動情報が受信又は送信された時点を表す情報と、前記識別情報からの前記時点関連情報に関連付けられた前記複数の時点と、に基づいて、複数の受信待機期間を決定し、前記複数の受信待機期間で受信を待機又は非待機に制御する受信制御部と、を備えた受信機と、
を備える、検出システム。
【請求項２】
請求項１に記載の検出システムであって、
更に、前記受信機と送信、受信を行うサーバ装置を備え、
前記複数の時点は、前記飲み込み型センサの種別に応じて予め設定され、
前記サーバ装置は、前記種別と、前記種別の飲み込み型センサに対して設定された前記複数の時点と、を互いに関連付けた制御情報を記憶する制御情報記憶部を備え、
前記サーバ装置は、前記受信機から受信した前記識別情報の前記飲み込み型センサの種別を識別する識別信号から前記制御情報記憶部に記憶されている前記制御情報を取得して、前記受信機に送信し、
前記受信機の前記受信制御部は、前記サーバ装置から受信した前記制御情報及び前記起動情報が受信又は送信された時点を表す情報に基づいて、前記複数の受信待機期間で受信を待機又は非待機にする制御する、検出システム。
【請求項３】
請求項１又は請求項２に記載の検出システムであって、
更に、前記受信機と送信、受信を行うサーバ装置を備え、
前記サーバ装置は、前記飲み込み型センサの種別と、前記種別に関連付けて設定された前記物理量を補正するための補正情報を記憶する補正情報記憶部を備え、
前記受信機又は前記サーバ装置は、前記検出情報の信号値を前記補正情報に基づいて変換する、検出システム。
【請求項４】
請求項１乃至請求項３のいずれか一項に記載の検出システムであって、
前記検出情報は、前記識別情報を含む、検出システム。
【請求項５】
請求項１乃至請求項４のいずれか一項に記載の検出システムであって、
前記受信機は、複数の前記起動情報を受信した場合、複数の前記飲み込みセンサが使用されている警告情報を受信する警告情報受信部を更に備える、検出システム。
【請求項６】
請求項５に記載の検出システムであって、
前記受信機は、前記警告情報を受信し、且つ、前記識別情報の前記飲み込み型センサの種別と前記飲み込み型センサとは別の飲み込み型センサの種別が一致する場合、ユーザへの警告、前記検出情報の受信の待機の中止、及び、受信した前記検出情報に対する処理の中止の少なくとも１つを実行する、検出システム。
【請求項７】
請求項５又は請求項６に記載の検出システムであって、
前記受信機は、前記警告情報を受信し、且つ、前記飲み込み型センサの前記複数の時点情報と、前記飲み込み型センサとは別の飲み込み型センサの複数の時点情報のうちの少なくとも１つの時点が一致する場合、ユーザへの警告、前記検出情報の受信の待機の中止、及び、受信した前記検出情報に対する処理の中止の少なくとも１つを実行する、検出システム。
【請求項８】
飲み込み型センサが、経口により生体の内部に導入され、
前記飲み込み型センサの送信装置が、互いに異なる複数の時点に関連付けられた起動情報及び時点関連情報に関連する識別情報を送信し、
受信機の起動・検出情報受信部が、前記飲み込み型センサにより送信された前記識別情報を受信し、
前記受信機の受信制御部が、前記起動・検出情報受信部で受信された前記識別情報からの前記起動情報が受信又は送信された時点を表す情報、及び、前記識別情報からの前記時点関連情報に関連付けられた前記複数の時点に基づいて、複数の受信待機期間を決定し、前記複数の受信待機期間で受信を待機又は非待機に制御し、
前記飲み込み型センサの検出装置が、前記生体の内部にて物理量を検出し、前記飲み込み型センサの前記送信装置が、前記検出した物理量を表す検出情報を前記複数の時点のそれぞれにて送信する、検出方法。
【請求項９】
請求項８に記載の検出方法であって、
前記複数の時点は、前記飲み込み型センサの種別に応じて予め設定され、
前記受信機はサーバ装置に前記識別情報を送信し、
前記サーバ装置は、前記種別と、前記種別の飲み込み型センサに対して前記設定された複数の時点と、を互いに関連付けて記憶しており、
前記サーバ装置は、前記受信機から受信した前記識別情報の前記種別を識別する識別信号に関連付けて記憶されている制御情報を取得して、前記受信機に送信し、
前記受信機の前記受信制御部は、前記サーバ装置から受信した前記制御情報及び前記起動情報が受信又は送信された時点を表す情報に基づいて、前記飲み込み型センサにより送信される前記検出情報の受信を待機又は非待機にする制御する、検出方法。
【手続補正２】
【補正対象書類名】明細書
【補正対象項目名】発明の名称
【補正方法】変更
【補正の内容】
【発明の名称】検出システム、及び、検出方法
【手続補正３】
【補正対象書類名】明細書
【補正対象項目名】０００１
【補正方法】変更
【補正の内容】
【０００１】
本発明は、検出システム、及び、検出方法に関する。
【手続補正書】
【提出日】平成30年12月25日(2018.12.25)
【手続補正１】
【補正対象書類名】特許請求の範囲
【補正対象項目名】全文
【補正方法】変更
【補正の内容】
【特許請求の範囲】
【請求項１】
上下の二段構造であり、上の鉢を上段鉢、下の鉢を下段鉢と呼び、上段鉢は開口し植物を植え、下段鉢は着脱できる複数の鉢から構成されることを特徴とする植木鉢。
【請求項２】
下段鉢の着脱方式はネジ式、凹形状と凸形状のレール、下部鉢の外枠鉢の中を内枠鉢が引き出し式に移動する方法を取ることを特徴とする請求項１に記載の植木鉢。
【請求項３】
植木鉢であって鉢の側面に着脱可能な複数の鉢（側面鉢と呼ぶ）を有することを特徴とする植木鉢。
【請求項４】
上段鉢の形状は角の丸味を持った正方形、長方形、円形、下段鉢は角に丸味を持った正方形、長方形、イチョウ型（円形の分割）、円形からなる鉢の交換は順次に行えることを特徴とする請求項１、請求項２、請求項４に記載の植木鉢。
【請求項５】
下部鉢は断根による一時的なダメ−ジを和らげるため複数個を設け、土の交換が順次に行えることを特徴とする請求項１、請求項２、請求項３、請求項４に記載の植木鉢。
【手続補正書】
【提出日】平成31年3月28日(2019.3.28)
【手続補正１】
【補正対象書類名】明細書
【補正対象項目名】０００６
【補正方法】変更
【補正の内容】
【０００６】
［１］  下記一般式（１）で表される構造を有する化合物。
【化１】
2017119663.tif 000001
［一般式（１）において、Ｒ1、Ｒ2、Ｒ4およびＲ5のうちの３つ以上は、各々独立に置換もしくは無置換の９−カルバゾリル基、置換もしくは無置換の１０−フェノキサジル基、置換もしくは無置換の１０−フェノチアジル基、またはシアノ基を表す。残りは水素原子または置換基を表すが、該置換基は、置換もしくは無置換の９−カルバゾリル基、置換もしくは無置換の１０−フェノキサジル基、置換もしくは無置換の１０−フェノチアジル基、またはシアノ基ではない。前記９−カルバゾリル基、前記１０−フェノキサジル基および前記１０−フェノチアジル基の各環骨格を構成する１以上の炭素原子は窒素原子で置換されていてもよい。Ｒ3は、各々独立に水素原子または置換基を表すが、該置換基は、置換もしくは無置換の９−カルバゾリル基、置換もしくは無置換の１０−フェノキサジル基、シアノ基、置換もしくは無置換の１０−フェノチアジル基、置換もしくは無置換のアリール基、置換もしくは無置換のヘテロアリール基、置換もしくは無置換のアルキニル基ではない。］
［２］  Ｒ1、Ｒ2、Ｒ4およびＲ5のうちの３つ以上が、置換もしくは無置換の分枝状アルキル基、置換もしくは無置換のアルコキシ基、および置換もしくは無置換のジアリールアミノ基から選択される１以上の置換基で置換された９−カルバゾリル基であるか、無置換の９−カルバゾリル基であることを特徴とする［１］に記載の化合物。
［３］  Ｒ1、Ｒ2、Ｒ4およびＲ5のうちの３つ以上が、置換もしくは無置換の分枝状アルキル基が１つ以上置換した９−カルバゾリル基であることを特徴とする［１］または［２］に記載の化合物。
［４］  Ｒ1、Ｒ2、Ｒ4およびＲ5のすべてが、置換もしくは無置換の９−カルバゾリル基であることを特徴とする［１］または［２］に記載の化合物。
［４］  Ｒ1、Ｒ2、Ｒ4およびＲ5のうちの３つが、置換もしくは無置換の９−カルバゾリル基であることを特徴とする［１］または［２］に記載の化合物。
［６］  Ｒ1、Ｒ2、Ｒ4およびＲ5の３つ以上が、無置換の９−カルバゾリル基であることを特徴とする［１］または［２］に記載の化合物。
［７］  Ｒ1、Ｒ2、Ｒ4およびＲ5の３つ以上が、３位と６位が置換基で置換された９−カルバゾリル基であることを特徴とする［１］〜［３］のいずれか１項に記載の化合物。
［８］  Ｒ3が水素原子である［１］〜［７］のいずれか１項に記載の化合物。
【手続補正書】
【提出日】平成31年3月28日(2019.3.28)
【手続補正１】
【補正対象書類名】特許請求の範囲
【補正対象項目名】全文
【補正方法】変更
【補正の内容】
【特許請求の範囲】
【請求項１】
下記一般式（１）で表される構造を有する化合物。
【化１】
2017119664.tif 000001
［一般式（１）において、Ｒ1、Ｒ2、Ｒ3、Ｒ4およびＲ5のうちの１つ以上は、各々独立に、１位か８位の少なくとも一方に置換基を有する９−カルバゾリル基、１位か９位の少なくとも一方に置換基を有する１０−フェノキサジル基、または１位か９位の少なくとも一方に置換基を有する１０−フェノチアジル基を表す。残りは水素原子または置換基を表すが、該置換基は、１位か８位の少なくとも一方に置換基を有する９−カルバゾリル基、１位か９位の少なくとも一方に置換基を有する１０−フェノキサジル基、１位か９位の少なくとも一方に置換基を有する１０−フェノチアジル基、またはシアノ基ではない。Ｒ1、Ｒ2、Ｒ3、Ｒ4およびＲ5のいずれかが置換もしくは無置換の９−カルバゾリル基であるとき、Ｒ1、Ｒ2、Ｒ3、Ｒ4およびＲ5のうちの２〜４つが、各々独立に置換もしくは無置換の９−カルバゾリル基であるか、または、Ｒ1、Ｒ2、Ｒ3、Ｒ4およびＲ5のうちの２つ以上が、各々独立に１位か８位の少なくとも一方に置換基を有する９−カルバゾリル基である。いずれかが前記９−カルバゾリル基、前記１０−フェノキサジル基および前記１０−フェノチアジル基の各環骨格を構成する１以上の炭素原子は窒素原子で置換されていてもよい。］
【請求項２】
前記置換基が、置換もしくは無置換のアルキル基、置換もしくは無置換のアルコキシ基、置換もしくは無置換のチオアルコキシ基、置換もしくは無置換のアリール基、置換もしくは無置換のヘテロアリール基、置換もしくは無置換のアリールオキシ基、置換もしくは無置換のヘテロアリールオキシ基、置換もしくは無置換のチオアリールオキシ基、置換もしくは無置換のチオヘテロアリールオキシ基、２級アミノ基、３級アミノ基、または置換もしくは無置換のシリル基であることを特徴とする請求項１に記載の化合物。
【請求項３】
Ｒ1、Ｒ2、Ｒ3、Ｒ4およびＲ5のうちの１〜３つが、各々独立に、１位か８位の少なくとも一方に置換基を有する９−カルバゾリル基、１位か９位の少なくとも一方に置換基を有する１０−フェノキサジル基、または１位か９位の少なくとも一方に置換基を有する１０−フェノチアジル基であり、
残りの少なくとも１つが、各々独立に、１位と８位が置換されていない９−カルバゾリル基、１位と９位が置換されていない１０−フェノキサジル基、または１位と９位が置換されていない１０−フェノチアジル基であり、
前記９−カルバゾリル基、前記１０−フェノキサジル基および前記１０−フェノチアジル基の各環骨格を構成する１以上の炭素原子は窒素原子で置換されていてもよいことを特徴とする請求項１または２に記載の化合物。
【請求項４】
Ｒ1、Ｒ2、Ｒ3、Ｒ4およびＲ5のうちの２〜４つが、各々独立に、置換もしくは無置換の９−カルバゾリル基、置換もしくは無置換の１０−フェノキサジル基、または置換もしくは無置換の１０−フェノチアジル基であることを特徴とする請求項１〜３のいずれか１項に記載の化合物。
【請求項５】
Ｒ1、Ｒ3およびＲ5が、各々独立に、置換もしくは無置換の９−カルバゾリル基、置換もしくは無置換の１０−フェノキサジル基、または置換もしくは無置換の１０−フェノチアジル基であることを特徴とする請求項１〜４のいずれか１項に記載の化合物。
【請求項６】
Ｒ3が、１位か８位の少なくとも一方に置換基を有する９−カルバゾリル基、１位か９位の少なくとも一方に置換基を有する１０−フェノキサジル基、または１位か９位の少なくとも一方に置換基を有する１０−フェノチアジル基であることを特徴とする請求項５に記載の化合物。
【請求項７】
Ｒ1およびＲ5が、各々独立に、１位と８位が置換されていない９−カルバゾリル基、１位と９位が置換されていない１０−フェノキサジル基、または１位と９位が置換されていない１０−フェノチアジル基であることを特徴とする請求項６に記載の化合物。
【請求項８】
Ｒ2およびＲ4が、各々独立に、置換もしくは無置換の９−カルバゾリル基、置換もしくは無置換の１０−フェノキサジル基、または置換もしくは無置換の１０−フェノチアジル基であることを特徴とする請求項１〜４のいずれか１項に記載の化合物。
【請求項９】
Ｒ2およびＲ4が、各々独立に、１位か８位の少なくとも一方に置換基を有する９−カルバゾリル基、１位か９位の少なくとも一方に置換基を有する１０−フェノキサジル基、または１位か９位の少なくとも一方に置換基を有する１０−フェノチアジル基であることを特徴とする請求項８に記載の化合物。
【請求項１０】
請求項１〜９のいずれか１項に記載の化合物を含む発光材料。
【請求項１１】
遅延蛍光を放射することを特徴とする請求項１０に記載の発光材料。
【請求項１２】
請求項１０または１１に記載の発光材料を含む発光層を基板上に有することを特徴とする有機発光素子。
【請求項１３】
有機エレクトロルミネッセンス素子であることを特徴とする請求項１２に記載の有機発光素子。
【請求項１４】
下記一般式（１）で表される構造を有する遅延蛍光体。
【化２】
2017119664.tif 000002
［一般式（１）において、Ｒ1、Ｒ2、Ｒ3、Ｒ4およびＲ5のうちの１つ以上は、各々独立に、１位か８位の少なくとも一方に置換基を有する９−カルバゾリル基、１位か９位の少なくとも一方に置換基を有する１０−フェノキサジル基、または１位か９位の少なくとも一方に置換基を有する１０−フェノチアジル基を表す。残りは水素原子または置換基を表すが、該置換基は、１位か８位の少なくとも一方に置換基を有する９−カルバゾリル基、１位か９位の少なくとも一方に置換基を有する１０−フェノキサジル基、または１位か９位の少なくとも一方に置換基を有する１０−フェノチアジル基ではない。前記９−カルバゾリル基、前記１０−フェノキサジル基および前記１０−フェノチアジル基の各環骨格を構成する１以上の炭素原子は窒素原子で置換されていてもよい。］
【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
培養皮膚におけるバスケットウィーブ（Ｂａｓｋｅｔ ｗｅａｖｅ）角層形成を指標と
する、肌状態改善用化粧料基剤のスクリーニング方法。
【請求項２】
前記バスケットウィーブ角層形成を、前記培養皮膚の断面の観察、又は前記培養皮膚の角層蛋白質の検出により評価する工程を含む、請求項１に記載のスクリーニング方法。
【請求項３】
前記肌状態改善が、角層水分量増加、皮膚柔軟性向上、肌色改善、成分貯留・浸透性向上、及びキメ改善からなる群から選択される、請求項１又は２に記載のスクリーニング法。
【請求項４】
水中油乳化剤型であることを特徴とする、肌状態改善用化粧料基剤。
【請求項５】
多価アルコールを含有することを特徴とする、請求項４に記載の肌状態改善用化粧料基剤。
【請求項６】
前記肌状態改善が、角層水分量増加、皮膚柔軟性向上、肌色改善、成分貯留・浸透性向上、及びキメ改善からなる群から選択される、請求項４又は５に記載の肌状態改善用化粧料基剤。
【請求項７】
請求項４〜６のいずれか一項に記載の肌状態改善用化粧料基剤を肌状態改善成分として含有する、化粧料。
【手続補正書】
【提出日】平成30年12月4日(2018.12.4)
【手続補正１】
【補正対象書類名】特許請求の範囲
【補正対象項目名】全文
【補正方法】変更
【補正の内容】
【特許請求の範囲】
【請求項１】
ゲームを実行可能な情報処理装置に、
ゲームフィールドにおいて第１ユーザによって取得されるゲーム媒体を所有状態として前記第１ユーザに対応付けて記憶部に記憶する第１記憶ステップと、
前記第１ユーザからの所定の入力に基づいて、前記第１記憶ステップで前記記憶部に記憶された前記ゲーム媒体を所有しない状態に更新する更新ステップと、
前記更新ステップで所有しない状態に更新された前記ゲーム媒体を前記ゲームフィールドに関連付けて前記記憶部に記憶する第２記憶ステップと、
前記第１ユーザ又は前記第１ユーザとは異なるユーザが前記ゲームフィールドにおいてゲームを進行する際に、前記第２記憶ステップで前記記憶部に記憶された前記ゲーム媒体を含む複数のゲーム媒体の中から前記ゲームフィールドに配置するゲーム媒体を決定する決定ステップと
を実行させるプログラム。
【請求項２】
前記決定ステップでは、前記第２記憶ステップで前記記憶部に記憶された前記ゲーム媒体を含む複数のゲーム媒体の中から一部のゲーム媒体を前記ゲームフィールドに配置するように決定する請求項１に記載のプログラム。
【請求項３】
前記決定ステップでは、前記第２記憶ステップで前記記憶部に記憶された前記ゲーム媒体を所定の確率で前記ゲームフィールドに配置するように決定する請求項１又は請求項２に記載のプログラム。
【請求項４】
前記所定の確率は、前記第１ユーザと前記第１ユーザとは異なる第２ユーザとの関係に応じて設定される請求項３に記載のプログラム。
【請求項５】
前記所定の確率は、前記第１ユーザと前記第２ユーザとの間の親密度が高いほど高く設定される請求項４に記載のプログラム。
【請求項６】
前記所定の確率は、前記ゲーム媒体のパラメータ値に基づいて設定される請求項３から請求項５のいずれか１項に記載のプログラム。
【請求項７】
前記第２記憶ステップで前記記憶部に記憶された前記ゲーム媒体を、前記記憶部に記憶されてから所定期間経過後に削除する削除ステップ
を更に実行させる請求項１から請求項６のいずれか１項に記載のプログラム。
【請求項８】
ゲームを実行可能な情報処理装置が実行する制御方法であって、
ゲームフィールドにおいて第１ユーザによって取得されるゲーム媒体を所有状態として前記第１ユーザに対応付けて記憶部に記憶する第１記憶ステップと、
前記第１ユーザからの所定の入力に基づいて、前記第１記憶ステップで前記記憶部に記憶された前記ゲーム媒体を所有しない状態に更新する更新ステップと、
前記更新ステップで所有しない状態に更新された前記ゲーム媒体を前記ゲームフィールドに関連付けて前記記憶部に記憶する第２記憶ステップと、
前記第１ユーザ又は前記第１ユーザとは異なるユーザが前記ゲームフィールドにおいてゲームを進行する際に、前記第２記憶ステップで前記記憶部に記憶された前記ゲーム媒体を含む複数のゲーム媒体の中から前記ゲームフィールドに配置するゲーム媒体を決定する決定ステップと
を含む制御方法。
【請求項９】
ゲームを実行可能な情報処理装置であって、
ゲームフィールドにおいて第１ユーザによって取得されるゲーム媒体を所有状態として前記第１ユーザに対応付けて記憶部に記憶する第１記憶機能と、
前記第１ユーザからの所定の入力に基づいて、前記第１記憶機能によって前記記憶部に記憶された前記ゲーム媒体を所有しない状態に更新する更新機能と、
前記更新機能によって所有しない状態に更新された前記ゲーム媒体を前記ゲームフィールドに関連付けて前記記憶部に記憶する第２記憶機能と、
前記第１ユーザ又は前記第１ユーザとは異なるユーザが前記ゲームフィールドにおいてゲームを進行する際に、前記第２記憶機能によって前記記憶部に記憶された前記ゲーム媒体を含む複数のゲーム媒体の中から前記ゲームフィールドに配置するゲーム媒体を決定する決定機能と
を実現する制御部を備える情報処理装置。
【手続補正書】
【提出日】令和1年8月14日(2019.8.14)
【手続補正１】
【補正対象書類名】特許請求の範囲
【補正対象項目名】全文
【補正方法】変更
【補正の内容】
【特許請求の範囲】
【請求項１】
使用者の手を挿入可能な空間からなる挿入部と、当該挿入部の内部に挿入された前記使用者の手の掌を載置可能な載置部を外面に備えた本体部と、
当該本体部の底面に形成された開口部に配され、刺激信号を出力可能なローラーと、
前記本体部に内蔵され、前記開口部から外部の空気を吸引するための吸引手段と、
を備えることを特徴とする美容器。
【請求項２】
前記吸引された空気を外部に排出する空気抜き機構を有することを特徴とする請求項１に記載の美容器。
【請求項３】
前記吸引された空気が含むドレンを貯留し、前記本体部に対して取り外し可能なドレンタンクを備えることを特徴とする請求項１または請求項２に記載の美容器。
【請求項４】
前記ローラーが、前記本体部の底面に対して取り外し可能なローラーカップに取り付けられていることを特徴とする請求項１ないし請求項３のいずれかに記載の美容器。
【請求項５】
前記ローラーが導電性材料を用いて構成されていることを特徴とする請求項１ないし請求項４のいずれかに記載の美容器。
【手続補正２】
【補正対象書類名】明細書
【補正対象項目名】００１４
【補正方法】変更
【補正の内容】
【００１４】
本発明に係る美容器は、前記した本発明において、前記ローラーが、前記本体部の底面 に対して取り外し可能なローラーカップに取り付けられていることを特徴とする。
本発明に係る美容器は、前記した本発明において、前記ローラーが導電性材料を用いて構成されていることを特徴とする。
【手続補正書】
【提出日】平成30年12月5日(2018.12.5)
【手続補正１】
【補正対象書類名】特許請求の範囲
【補正対象項目名】全文
【補正方法】変更
【補正の内容】
【特許請求の範囲】
【請求項１】
第１の種別の物品を排出可能な第１の排出手段と、第２の種別の物品を排出可能であって、前記第２の種別の物品を排出せしめる操作入力を受け付ける入力手段を有する第２の排出手段と、を備えるゲーム装置であって、
対価の支払いを検出する検出手段と、
対価の支払いを要件として実行されるゲームに係る情報を取得する取得手段と、
前記第１の排出手段による排出及び前記第２の排出手段による排出を制御する制御手段と、を備え、
前記制御手段は、
対価の支払いがなされたことに応じて前記第１の排出手段に前記第１の種別の物品を排出させ、
前記ゲームに係る情報が所定の条件を満たす場合に、前記入力手段が操作入力を受け付けるように前記第２の排出手段を制御し、前記ゲームに係る情報が前記所定の条件を満たさない場合に、前記入力手段が操作入力を受け付けないように前記第２の排出手段を制御するゲーム装置。
【請求項２】
前記ゲームに係る情報は、前記ゲームのプレイ回数及び前記ゲームに係り行われた抽選結果の少なくともいずれかの情報である請求項１に記載のゲーム装置。
【請求項３】
前記第１の種別の物品の各々は、前記ゲームについて予め定められたキャラクタに対応付けられており、
前記ゲーム装置は、
前記ゲームに係るゲームプレイにつき、前記第１の種別の物品に対応するキャラクタを認識する第１の認識手段と、
前記第１の認識手段により認識されたキャラクタを登場させるよう、前記ゲームに係る処理を実行する実行手段と、をさらに備える
請求項１または２に記載のゲーム装置。
【請求項４】
前記第２の排出手段は、前記第１の排出手段に隣接して配置される請求項１乃至３のいずれか１項に記載のゲーム装置。
【請求項５】
前記第２の種別の物品を排出する、前記第２の排出手段とは異なる第３の排出手段をさらに備え、
前記第３の排出手段は、前記ゲームに係るゲームプレイが行われているか否かに依らず、前記第３の排出手段に係る対価の支払いがなされたことに応じて前記第２の種別の物品を排出する
請求項１乃至４のいずれか１項に記載のゲーム装置。
【請求項６】
前記第３の排出手段は、前記第１の排出手段に隣接して配置され、
前記第２の排出手段と前記第３の排出手段とは、鉛直方向に堆積される態様で構成される請求項５に記載のゲーム装置。
【請求項７】
前記第２の排出手段は、前記ゲーム装置と電気的に接続し、前記第３の排出手段は、前記ゲーム装置と電気的に接続しない請求項５または６に記載のゲーム装置。
【請求項８】
前記第２の排出手段は対価の支払いを受け付ける受付手段を有さず、前記第３の排出手段は対価の支払いを受け付ける受付手段を有する請求項５乃至７のいずれか１項に記載のゲーム装置。
【請求項９】
前記第２の排出手段により排出される前記第２の種別の物品と、前記第３の排出手段により排出される前記第２の種別の物品とは、前記ゲームにおける有用性が異なる請求項５乃至８のいずれか１項に記載のゲーム装置。
【請求項１０】
前記第２の排出手段及び前記第３の排出手段の少なくともいずれかは、前記ゲーム装置から分離可能に構成されることを特徴とする請求項５乃至９のいずれか１項に記載のゲーム装置。
【請求項１１】
前記第１の種別の物品と前記第２の種別の物品とは、異なる種別の物品である請求項１乃至１０のいずれか１項に記載のゲーム装置。
【請求項１２】
第１の種別の物品または第２の種別の物品を排出する排出手段を有するコンピュータを、請求項１乃至１１のいずれか１項に記載のゲーム装置の各手段として機能させるためのプログラム。
【請求項１３】
第１の種別の物品を排出可能な第１の排出装置と、第２の種別の物品を排出可能であって、前記第２の種別の物品を排出せしめる操作入力を受け付ける入力手段を有する第２の排出装置と、前記第１の排出装置及び前記第２の排出装置が接続されたゲーム装置とを含む物品提供システムであって、
前記ゲーム装置は、
対価の支払いを検出する検出手段と、
対価の支払いを要件として実行されるゲームに係る情報を取得する取得手段と、
前記第１の排出装置における排出及び前記第２の排出装置における排出を制御する制御手段と、を備え、
前記制御手段は、
対価の支払いがなされたことに応じて前記第１の排出装置に前記第１の種別の物品を排出させ、
前記ゲームに係る情報が所定の条件を満たす場合に、前記入力手段が操作入力を受け付けるように前記第２の排出装置を制御し、前記ゲームに係る情報が前記所定の条件を満たさない場合に、前記入力手段が操作入力を受け付けないように前記第２の排出装置を制御する物品提供システム。
【手続補正２】
【補正対象書類名】明細書
【補正対象項目名】０００６
【補正方法】変更
【補正の内容】
【０００６】
本発明のゲーム装置は、第１の種別の物品を排出可能な第１の排出手段と、第２の種別の物品を排出可能であって、前記第２の種別の物品を排出せしめる操作入力を受け付ける入力手段を有する第２の排出手段と、を備えるゲーム装置であって、対価の支払いを検出する検出手段と、対価の支払いを要件として実行されるゲームに係る情報を取得する取得手段と、第１の排出手段による排出及び第２の排出手段による排出を制御する制御手段と、を備え、制御手段は、対価の支払いがなされたことに応じて第１の排出手段に第１の種別の物品を排出させ、ゲームに係る情報が所定の条件を満たす場合に、入力手段が操作入力を受け付けるように第２の排出手段を制御し、ゲームに係る情報が所定の条件を満たさない場合に、入力手段が操作入力を受け付けないように第２の排出手段を制御する。
【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
遊技者が視認可能な遊技領域と、
該遊技領域より下側に設けられ、遊技者によって遊技に関する操作が行われる操作手段と、
遊技に使用される遊技媒体を貯留する貯留手段と、
前記遊技者の所持品の少なくとも下側を支持可能な所持品支持手段と、
該所持品支持手段に前記遊技者の所持品が支持された状態において遊技者による特定動作が実行された場合に、所定の動作対応処理を実行する動作対応実行手段とを有することを特徴とする遊技機。
【請求項２】
前記所持品支持手段における前記所持品の有無を検出可能な所持品検出手段と、
前記特定動作として、遊技者が遊技機から離れようとする特定動作を検出する動作検出手段とを有し、
前記動作対応実行手段は、前記動作対応処理として、遊技者に対して所定の音声を出力することを特徴とする請求項１に記載の遊技機。
【請求項３】
前記所持品支持手段における前記所持品の有無を検出可能な所持品検出手段と、
前記特定動作として、所定の離席前動作を検出する動作検出手段と、
遊技者の顔を検出する顔検出手段とを有し、
前記動作対応実行手段は、前記動作検出手段によって前記離席前動作を検出した場合に、前記動作対応処理として、前記離席前動作を行ったときに検出された遊技者の顔情報を記憶し、前記所持品が取れ難い所持品留保状態に遷移させることを特徴とする請求項１又は２に記載の遊技機。
【請求項４】
前記所持品支持手段における前記所持品の有無を検出可能な所持品検出手段と、
前記特定動作として、遊技者が前記所持品を取ろうとする特定動作を検出動作検出手段とを有し、
前記動作対応実行手段は、前記動作対応処理として、遊技者が前記所持品を取りやすくなるようにする取得容易化処理を実行することを特徴とする請求項１から３のいずれかに記載の遊技機。
【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
遊技者が視認可能な遊技領域と、
該遊技領域より下側に設けられ、遊技者によって遊技に関する操作が行われる操作手段と、
遊技に使用される遊技媒体を貯留する貯留手段と、
遊技機の上面より突出した第１状態と、当該上面から退避した第２状態とに変位可能に設けられ、前記第１状態において、前記遊技機の上面に載置された遊技者の所持品の後面、左右側面の少なくとも一部を覆う所定の収容空間を内側に形成可能なカバー手段とを有し、
該カバー手段は、遊技者によって視認可能な所定の装飾が付された装飾部を有し、遊技の状況に応じた複数種類の態様に前記装飾部が変化可能な構成とされていることを特徴とする遊技機。
【請求項２】
前記カバー手段は、開閉可能な開閉機構を有しており、
閉状態において、前記所持品の全面を覆い隠し、
前記遊技機の前側からの操作によって前記カバー手段を開状態に移行させることを特徴とする請求項１に記載の遊技機。
【請求項３】
前記開閉機構を駆動し、開状態と閉状態と切り替える駆動手段と、
前記駆動手段を制御する載置制御部と、
遊技機の上面に前記所持品が載置されたことを検出する載置検出手段とを有し、
前記載置制御部は、前記載置検出手段によって前記所持品が載置されたことが検出された場合に、前記カバー手段を閉状態に遷移させることを特徴とする請求項２に記載の遊技機。
【請求項４】
遊技者を撮影可能な撮影手段と、
前記撮影手段によって撮影された画像から、遊技者及び遊技者の動作を検出する動作検出手段と、
前記閉状態において前記カバー手段の施錠を行う施錠手段とを有し、
前記動作検出手段によって所持品を載置した遊技者が所定の特定動作を行ったことが前記動作検出手段によって検出された場合に、前記施錠手段による前記カバー手段の施錠を解錠させることを特徴とする請求項２又は３に記載の遊技機。
【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
外周面に複数種類の図柄が配置された複数の回胴と、
遊技毎に内部抽選を行って、抽選結果を導出する抽選手段と、
遊技毎に複数の回胴を回転させ、各々の回胴に対応して設けられた停止スイッチの操作を受け付けると、対応する回胴を個々に停止させ、前記抽選結果に応じた態様で図柄を表示する回胴制御手段と、
前記停止スイッチの操作順序を報知する報知遊技と、
前記報知遊技を実行する期間を延長する為の延長遊技と、
前記延長遊技に移行するか否かを決定する為の移行遊技と、
前記移行遊技において、獲得したポイントの合計値が移行条件を満たしたことを契機にして、前記延長遊技に移行させる遊技制御手段と、
を具備し、
前記抽選結果には、ポイントを獲得する為の複数のポイント獲得役と、転落抽選を行う為の転落抽選役があり、該転落抽選の結果に応じて前記移行遊技を終了するか否かが決定され、
前記移行遊技において、前記遊技制御手段は、今回の遊技で倍率を決定し、以降の遊技で当選したポイント獲得役に応じて獲得したポイントに該倍率を掛けた値を獲得ポイントとすると共に、新たな倍率を決定し、獲得したポイントの合計値が移行条件を満たしたことを契機にして、前記延長遊技に移行させる一方、前記転落抽選で終了となったら、該移行遊技を終了し、
前記延長遊技には、少なくとも特化ゲーム１と特化ゲーム２があり、
該特化ゲーム１では、当選役に応じて、獲得する上乗せ量を抽選により決定するが、所定ゲーム間連続してリプレイ役又はハズレとなると、終了条件が満たされて終了となり、
特化ゲーム２では、突入時に継続率を決定し、この継続率によって毎ゲーム継続又は転落を決定し、及び獲得する上乗せ量を決定し、転落により終了し、
終了すると、決定された上乗せ量を加算して、前記報知遊技を再開すること、
を特徴とする遊技機。
【手続補正２】
【補正対象書類名】明細書
【補正対象項目名】００２０
【補正方法】変更
【補正の内容】
【００２０】
請求項１に係る本発明の遊技機は、上記の目的を達成する為に、外周面に複数種類の図柄が配置された複数の回胴と、遊技毎に内部抽選を行って、抽選結果を導出する抽選手段と、遊技毎に複数の回胴を回転させ、各々の回胴に対応して設けられた停止スイッチの操作を受け付けると、対応する回胴を個々に停止させ、前記抽選結果に応じた態様で図柄を表示する回胴制御手段と、前記停止スイッチの操作順序を報知する報知遊技と、前記報知遊技を実行する期間を延長する為の延長遊技と、前記延長遊技に移行するか否かを決定する為の移行遊技と、前記移行遊技において、獲得したポイントの合計値が移行条件を満たしたことを契機にして、前記延長遊技に移行させる遊技制御手段と、を具備し、前記抽選結果には、ポイントを獲得する為の複数のポイント獲得役と、転落抽選を行う為の転落抽選役があり、該転落抽選の結果に応じて前記移行遊技を終了するか否かが決定され、前記移行遊技において、前記遊技制御手段は、今回の遊技で倍率を決定し、以降の遊技で当選したポイント獲得役に応じて獲得したポイントに該倍率を掛けた値を獲得ポイントとすると共に、新たな倍率を決定し、獲得したポイントの合計値が移行条件を満たしたことを契機にして、前記延長遊技に移行させる一方、前記転落抽選で終了となったら、該移行遊技を終了し、前記延長遊技には、少なくとも特化ゲーム１と特化ゲーム２があり、該特化ゲーム１では、当選役に応じて、獲得する上乗せ量を抽選により決定するが、所定ゲーム間連続してリプレイ役又はハズレとなると、終了条件が満たされて終了となり、特化ゲーム２では、突入時に継続率を決定し、この継続率によって毎ゲーム継続又は転落を決定し、及び獲得する上乗せ量を決定し、転落により終了し、終了すると、決定された上乗せ量を加算して、前記報知遊技を再開することを特徴とする。
【手続補正書】
【提出日】平成30年12月12日(2018.12.12)
【手続補正１】
【補正対象書類名】特許請求の範囲
【補正対象項目名】全文
【補正方法】変更
【補正の内容】
【特許請求の範囲】
【請求項１】
治療レーザ光を集光させることによりプラズマを発生させ、該プラズマにより患者眼の治療対象部位の治療を行う眼科用レーザ治療装置において、
前記患者眼に前記治療レーザ光を照射する照射光学系と、
前記治療レーザ光の集光位置を所定の集光基準位置に対して光軸方向に調整する位置調整手段と、
前記治療レーザ光の照射エネルギーを調整するエネルギー調整手段と、
治療レーザ光の集光位置と該集光位置に対する照射エネルギーとの許容される組み合わせを評価するための評価情報を記憶する記憶手段と、
前記位置調整手段及び前記エネルギー調整手段により調整された集光位置と照射エネルギーの組合せを前記評価情報に基づいて評価する評価手段と、
を備えることを特徴とする眼科用レーザ治療装置。
【請求項２】
請求項１に記載の眼科用レーザ治療装置は、
前記評価手段は、前記治療レーザ光の照射前に評価する、
ことを特徴とする眼科用レーザ治療装置。
【請求項３】
請求項１または２に記載の眼科用レーザ治療装置は、
前記評価手段は、非治療対象部位への前記プラズマの影響を考慮して評価する、
ことを特徴とする眼科用レーザ治療装置。
【請求項４】
請求項１〜３のいずれか１項に記載の眼科用レーザ治療装置は、
前記評価手段は、前記集光位置と前記照射エネルギーの組合せが所定条件に当てはまるか否かを評価する、
ことを特徴とする眼科用レーザ治療装置。
【請求項５】
請求項４に記載の眼科用レーザ治療装置は、
前記評価手段は、前記評価結果に基づいて前記集光位置と前記照射エネルギーの少なくともいずれかを補正する、
ことを特徴とする眼科用レーザ治療装置。
【請求項６】
請求項４に記載の眼科用レーザ治療装置は、
前記評価手段による前記評価結果を報知するための報知手段を備える
ことを特徴とする眼科用レーザ治療装置。
【手続補正書】
【提出日】平成30年12月18日(2018.12.18)
【手続補正１】
【補正対象書類名】特許請求の範囲
【補正対象項目名】全文
【補正方法】変更
【補正の内容】
【特許請求の範囲】
【請求項１】
表示面への物体の接触の操作に応じて動作を変化させるゲームキャラクタを含む画像を、当該表示面に表示させる表示媒体と、
前記表示面への物体の接触度合に応じて変化する、当該表示媒体に関する所定の物理量を検出する第１検出手段と、
前記表示媒体の前記表示面への物体の接触の位置を検出する第２検出手段と、
を備える端末を制御対象とするコンピュータに、
前記接触が維持されている状態における前記第１検出手段の検出結果の最大量を外部に出力する関数出力ステップと、
前記最大量に応じて、前記ゲームキャラクタの移動速度を決定する移動速度決定ステップと、
前記接触が維持されている状態における前記第２検出手段の検出結果に基づいて、前記ゲームキャラクタの移動方向を決定する移動方向決定ステップと、
前記接触が維持されている状態において、前記移動速度及び前記移動方向に基づいて前記ゲームキャラクタを移動させる動作制御実行ステップと、
を含む制御処理を実行させるプログラム。
【請求項２】
ゲームの状況に基づいて所定のトランスミッション関数を選択するトランスミッション関数選択ステップと、
をさらに前記コンピュータに実行させ、
前記移動速度決定ステップは、
前記関数出力ステップにおける出力量を前記トランスミッション関数に入力し、前記トランスミッション関数の出力量に基づいて、前記ゲームキャラクタの移動速度を決定するステップを含む、
請求項１に記載のプログラム。
【請求項３】
表示面への物体の接触の操作に応じて動作を変化させるゲームキャラクタを含む画像を、当該表示面に表示させる表示媒体と、
前記表示面への物体の接触度合に応じて変化する、当該表示媒体に関する所定の物理量を検出する第１検出手段と、
前記表示媒体の前記表示面への物体の接触の位置を検出する第２検出手段と、
を備える情報処理装置が実行する情報処理方法であって、
前記接触が維持されている状態における前記第１検出手段の検出結果の最大量を外部に出力する関数出力ステップと、
前記最大量に応じて、前記ゲームキャラクタの移動速度を決定する移動速度決定ステップと、
前記接触が維持されている状態における前記第２検出手段の検出結果に基づいて、前記ゲームキャラクタの移動方向を決定する移動方向決定ステップと、
前記接触が維持されている状態において、前記移動速度及び前記移動方向に基づいて前記ゲームキャラクタを移動させる動作制御実行ステップと、
を含む情報処理方法。
【手続補正書】
【提出日】令和1年8月9日(2019.8.9)
【手続補正１】
【補正対象書類名】明細書
【補正対象項目名】００３５
【補正方法】変更
【補正の内容】
【００３５】
抗酸化剤としては、例えば、クエン酸、亜硝酸ナトリウム、アスコルビン酸、Ｌ−アスコルビン酸ステアリン酸エステル、亜硝酸水素ナトリウム、亜硫酸ナトリウム、アルファチオグリセリン、エデト酸ナトリウム、エリソルビン酸、塩酸システイン、乾燥亜硫酸ナトリウム、ジクロルイソシアヌール酸カリウム、大豆レシチン、チオグリコール酸ナトリウム、チオリンゴ酸ナトリウム、天然ビタミンＥ、トコフェロール、ｄ−δ−トコフェロール、トコフェロール酢酸エステル、濃縮混合トコフェロール、パルミチン酸アスコルビン酸、ピロ亜硫酸ナトリウム、ブチルヒドロキシアニソール、１，３−ブチレングリコール、ベンゾトリアゾール、ペンタエリスリチル−テトラキス［３−（３，５−ジ−ｔ−ブチル−４−ヒドロキシフェニル）プロピオネート］、２−メルカプトベンズイミダゾール、没食子酸プロピル、ジブチルヒドロキシトルエン等を挙げることができる。
【手続補正書】
【提出日】平成30年12月19日(2018.12.19)
【手続補正１】
【補正対象書類名】特許請求の範囲
【補正対象項目名】全文
【補正方法】変更
【補正の内容】
【特許請求の範囲】
【請求項１】
物品に対応付けられるラベルを作成するラベル作成装置と、前記ラベルの内容から前記物品の同一性を証明する情報を取得する情報機器と、を備える前記物品の同一性を証明するシステムであって、
前記ラベル作成装置は、
前記物品を含む第１被写体を撮像し、前記第１被写体の第１画像データを取得する装置撮像部と、
前記第１画像データを用いて、前記第１被写体のうち前記物品の特徴を解析し第１特徴情報を生成する第１解析部と、
前記物品に関連付けられ、かつ前記物品を識別する情報である第１識別情報を取得する第１識別情報取得部と、
少なくとも前記第１特徴情報と前記第１識別情報とを含むコード情報を生成する生成部と、
ラベル媒体に前記コード情報を印刷し、前記ラベルを出力する印刷部と、
を備え、
前記情報機器は、
前記物品と前記コード情報とを含む第２被写体を撮像し、第２画像データを出力する機器撮像部と、
前記第２画像データに含まれる前記第２被写体の前記コード情報の画像データから前記第１特徴情報と前記第１識別情報とを、抽出する抽出部と、
前記第２画像データを用いて、前記第２被写体の前記物品の特徴を解析し第２特徴情報を生成する第２解析部と、
前記抽出部により抽出された前記第１識別情報と照合判定するための第２識別情報を取得する第２識別情報取得部と、
前記第１特徴情報と前記第２特徴情報とが合致するか否か判定する特徴情報判定部と、
前記抽出部により抽出された前記第１識別情報と前記第２識別情報取得部により取得された前記第２識別情報とが合致するか否かを判定する識別情報判定部と、
前記特徴情報判定部と前記識別情報判定部とによって判定された判定結果を表示部へ表示させる表示制御部と、
を備えることを特徴とするシステム。
【請求項２】
物品に対応付けられるラベルを作成するラベル作成装置と、前記ラベルの内容から前記物品の同一性を証明する情報を取得する情報機器と、を備える前記物品の同一性を証明するシステムであって、
前記ラベル作成装置は、
前記ラベルが作成された場所の位置情報を取得する位置情報取得部と、
前記物品を含む第１被写体を撮像し、前記第１被写体の第１画像データを取得する装置撮像部と、
前記第１画像データを用いて、前記第１被写体のうち前記物品の特徴を解析し第１特徴情報を生成する第１解析部と、
前記物品に関連付けられ、かつ前記物品を識別する情報である第１識別情報を取得する第１識別情報取得部と、
少なくとも前記位置情報と前記第１特徴情報と前記第１識別情報とを含むコード情報を生成する生成部と、
ラベル媒体に前記コード情報を印刷し、前記ラベルを出力する印刷部と、
を備え、
前記情報機器は、
前記物品と前記コード情報とを含む第２被写体を撮像し、第２画像データを出力する機器撮像部と、
前記第２画像データに含まれる前記第２被写体の前記コード情報の画像データから前記位置情報と前記第１特徴情報と前記第１識別情報とを、抽出する抽出部と、
前記第２画像データを用いて、前記第２被写体の前記物品の特徴を解析し第２特徴情報を生成する第２解析部と、
前記抽出部により抽出された前記第１識別情報と照合判定するための第２識別情報を取得する第２識別情報取得部と、
前記位置情報に基づいて地理的情報を取得し、前記地理的情報が前記物品の産地であるか否かを判定する産地判定部と、
前記第１特徴情報と前記第２特徴情報とが合致するか否か判定する特徴情報判定部と、
前記抽出部により抽出された前記第１識別情報と前記第２識別情報取得部により取得された前記第２識別情報とが合致するか否かを判定する識別情報判定部と、
前記特徴情報判定部と前記識別情報判定部とによって判定された判定結果を表示部へ表示させる表示制御部と、
を備えることを特徴とするシステム。
【請求項３】
物品に対応付けられるラベルを作成するラベル作成装置であって、
前記物品を含む第１被写体を撮像し、前記第１被写体の第１画像データを取得する装置撮像部と、
前記第１画像データを用いて、前記第１被写体のうち前記物品の特徴を解析し第１特徴情報を生成する第１解析部と、
前記物品に関連付けられ、かつ前記物品を識別する情報である第１識別情報を取得する第１識別情報取得部と、
少なくとも前記第１特徴情報と前記第１識別情報とを含むコード情報を生成する生成部と、
ラベル媒体に前記コード情報を配置して印刷し、前記ラベルを出力する印刷部と、
を備えることを特徴とするラベル作成装置。
【請求項４】
物品に対応付けられるラベルを作成するラベル作成装置であって、
前記ラベルが作成された場所の位置情報を取得する位置情報取得部と、
前記物品を含む第１被写体を撮像し、前記第１被写体の第１画像データを取得する装置撮像部と、
前記第１画像データを用いて、前記第１被写体のうち前記物品の特徴を解析し第１特徴情報を生成する第１解析部と、
前記物品に関連付けられ、かつ前記物品を識別する情報である第１識別情報を取得する第１識別情報取得部と、
少なくとも前記位置情報と前記第１特徴情報と前記第１識別情報とを含むコード情報を生成する生成部と、
ラベル媒体に前記コード情報を配置して印刷し、前記ラベルを出力する印刷部と、
を備えることを特徴とするラベル作成装置。
【手続補正２】
【補正対象書類名】明細書
【補正対象項目名】発明の名称
【補正方法】変更
【補正の内容】
【発明の名称】ラベル作成装置、およびシステム
【手続補正３】
【補正対象書類名】明細書
【補正対象項目名】０００１
【補正方法】変更
【補正の内容】
【０００１】
本発明は、ラベル作成装置、およびシステムに関する。
【手続補正書】
【提出日】令和1年8月30日(2019.8.30)
【手続補正１】
【補正対象書類名】特許請求の範囲
【補正対象項目名】全文
【補正方法】変更
【補正の内容】
【特許請求の範囲】
【請求項１】
溶接シーケンサシステムであって、
複数の部品上で溶接作業を実行するために器具に電力を供給するよう構成される溶接電源と、
前記溶接電源に結合される溶接シーケンサであって、前記溶接シーケンサは、前記複数の部品内の各部品に対し、
前記溶接作業の実行に関連する溶接データを格納するよう構成され、前記溶接データは溶接パラメータに対する値を備え、
前記溶接シーケンサは、更に、
前記複数の部品に関連するシーケンスファイルを検索し、
前記複数の部品内の各部品に対する前記溶接データを検索し、
前記溶接パラメータに対する制約のセットを選択し、
前記溶接パラメータに対する溶接パラメータ限度のセットを定義する前記溶接パラメータの前記値に関する統計的解析を実行するよう構成される、溶接シーケンサと、
を備える溶接シーケンサシステム。
【請求項２】
前記溶接シーケンサは、更に、前記複数の部品内の各部品に対し、前記溶接作業を実行できるように、前記複数の部品に関連する前記シーケンスファイルに基づいて、前記溶接電源の１つ以上のパラメータを設定するよう構成される、請求項１に記載の溶接シーケンサシステム。
【請求項３】
前記溶接シーケンサは、更に、前記統計的解析を実行することに応じて、前記溶接パラメータ限度のセットを含むために前記シーケンスファイルを自動的に修正するよう構成される、請求項１に記載の溶接シーケンサシステム。
【請求項４】
前記シーケンスファイルは、前記溶接作業に対応する第１のファンクションと、第２の溶接作業に対応する第２のファンクションとを備え、前記第１のファンクションは、第１の識別子と関連付けられ、前記第２のファンクションは、第２の識別子と関連付けられる、請求項３に記載の溶接シーケンサシステム。
【請求項５】
前記複数の部品内の各部品に対する前記溶接データは、前記第１の識別子と関連付けられ、前記溶接シーケンサは、更に、
前記第１のファンクションが、前記第１の識別子と関連付けられていることを特定し、
前記特定に基づいて、前記溶接パラメータ限度のセットを含むために前記シーケンスファイル内の前記第１のファンクションを自動的に修正するよう構成される、請求項４に記載の溶接シーケンサシステム。
【請求項６】
前記溶接パラメータは、電流レベル、電圧レベル、ワイヤ供給速度、溶接時間、及び溶接作業合計時間のうちの少なくとも１つを含む、請求項１に記載の溶接シーケンサシステム。
【請求項７】
前記制約のセットは、平均溶接パラメータ値より小さい標準偏差の数値と、該平均溶接パラメータ値を超える標準偏差の数値とを備える、請求項１に記載の溶接シーケンサシステム。
【請求項８】
前記溶接シーケンサは、更に、前記平均溶接パラメータ値より小さい標準偏差の数値に対応する値未満であるか、前記平均溶接パラメータ値を超える前記標準偏差の数値に対応する値を超える前記溶接パラメータの値を削除するよう構成される、請求項７に記載の溶接シーケンサシステム。
【請求項９】
前記制約のセットは、更に、第１の変動係数を備え、前記溶接シーケンサは、更に、前記溶接パラメータの残りの値が、結果として前記第１の変動係数より大きい変動係数を生じる場合、警告を発生するよう構成される、請求項８に記載の溶接シーケンサシステム。
【請求項１０】
前記制約のセットは、更に、前記平均溶接パラメータ値より小さい第２の標準偏差の数値と、前記平均溶接パラメータ値を超える第３の標準偏差の数値とを備え、前記溶接シーケンサは、更に、前記溶接パラメータの前記残りの値の平均に基づいて前記溶接パラメータに対する前記溶接パラメータ限度のセットを定義するよう構成され、前記第２の標準偏差の数値は前記平均溶接パラメータ値より小さく、前記第３の標準偏差の数値は前記平均溶接パラメータ値を超える、請求項９に記載の溶接シーケンサシステム。
【請求項１１】
溶接作業を解析する方法であって、
複数の部品内の各部品に対して、溶接電源による溶接作業の実行に関連する溶接データを格納することであって、前記溶接データは溶接パラメータに対する値を備えることと、
前記溶接パラメータに対する制約のセットを選択することと、
前記溶接パラメータに対する溶接パラメータ限度のセットを定義するよう前記溶接パラメータの前記値に関する統計的解析を実行することと、
を含む方法。
【請求項１２】
更に、複数の部品内の各部品に対して、前記溶接電源が溶接作業を実行できるように、前記複数の部品に関連するシーケンスファイルに基づいて、前記溶接電源の１つ以上のパラメータを設定することを含む、請求項１１に記載の方法。
【請求項１３】
更に、前記統計的解析を実行することに応じて、前記溶接パラメータ限度のセットを含むよう前記複数の部品に関連するシーケンスファイルを自動的に修正することを含む、請求項１１に記載の方法。
【請求項１４】
前記シーケンスファイルは、前記溶接作業に対応する第１のファンクションと、第２の溶接作業に対応する第２のファンクションとを備え、前記第１のファンクションは、第１の識別子と関連付けられ、前記第２のファンクションは、第２の識別子と関連付けられる、請求項１３に記載の方法。
【請求項１５】
前記複数の部品内の各部品に対する前記溶接データは、前記第１の識別子と関連付けられ、前記シーケンスファイルを自動的に修正することは、更に、
前記第１のファンクションが、前記第１の識別子と関連付けられていることを特定することと、
前記特定に基づいて、前記溶接パラメータ限度のセットを含むよう前記シーケンスファイル内の前記第１のファンクションを自動的に修正することとを備える、請求項１４に記載の方法。
【請求項１６】
前記制約のセットは、平均溶接パラメータ値より小さい標準偏差の数値と、該平均溶接パラメータ値を超える標準偏差の数値とを備える、請求項１１に記載の方法。
【請求項１７】
更に、前記平均溶接パラメータ値より小さい標準偏差の数値に対応する値未満であるか、前記平均溶接パラメータ値を超える前記標準偏差の数値に対応する値を超える前記溶接パラメータの値を削除することを含む、請求項１６に記載の方法。
【請求項１８】
前記制約のセットは、更に、第１の変動係数を備え、前記方法は、更に、前記溶接パラメータの残りの値が、結果として前記第１の変動係数より大きい変動係数を生じる場合、警告を発生することを含む、請求項１７に記載の方法。
【請求項１９】
前記制約のセットは、更に、前記平均溶接パラメータ値より小さい第２の標準偏差の数値と、前記平均溶接パラメータ値を超える第３の標準偏差の数値とを備え、前記方法は、更に、前記溶接パラメータの前記残りの値の平均に基づいて前記溶接パラメータに対する前記溶接パラメータ限度のセットを定義することを含み、前記第２の標準偏差の数値は前記平均溶接パラメータ値より小さく、前記第３の標準偏差の数値は前記平均溶接パラメータ値を超える、請求項１８に記載の方法。